(57)【要約】      （修正有）【課題】電極に複数の開口部を有する液晶表示装置における電極の断線を防止する技術を提供すること。【解決手段】液晶表示装置は、第１基板、第２基板、第１電極、第２電極および液晶層を含む。第１電極は、複数の第１開口部を有し、第２電極は、複数の第２開口部を有する。複数の第１開口部は、各々の長手方向が第１方向に沿うようにして複数の列をなして配置され、かつ、各々、第１方向に対して直交以外の角度で斜交する２つの短辺エッジを有している。複数の第２開口部は、各々の長手方向が第１方向に沿うようにして複数の列をなして配置され、かつ、各々、前記第１方向に対して直交以外の角度で斜交する２つの短辺エッジを有している。複数の第１開口部と複数の第２開口部は、第１方向と交差する第２方向に沿って１列ずつ交互に配置されている。【選択図】図２
2015172650.tif 000002
【特許請求の範囲】
【請求項１】
対向配置される第１基板及び第２基板と、
前記第１基板に設けられた第１電極と、
前記第２基板に設けられた第２電極と、
前記第１基板と前記第２基板の間に配置された液晶層、
を含み、
前記第１電極は、少なくとも前記第２電極と重なる領域に複数の第１開口部を有し、
前記第２電極は、少なくとも前記第１電極と重なる領域に複数の第２開口部を有し、
前記複数の第１開口部は、各々の長手方向が第１方向に沿うようにして複数の列をなして配置され、かつ、各々、前記第１方向に対して直交以外の角度で斜交する２つの短辺エッジを有しており、
前記複数の第２開口部は、各々の長手方向が前記第１方向に沿うようにして複数の列をなして配置され、かつ、各々、前記第１方向に対して直交以外の角度で斜交する２つの短辺エッジを有しており、
前記複数の第１開口部と前記複数の第２開口部は、前記第１方向と交差する第２方向に沿って１列ずつ交互に配置されている、
液晶表示装置。
【請求項２】
前記複数の第１開口部の各々の前記２つの短辺エッジは、同一方向へ向いており、
前記複数の第２開口部の各々の前記２つの短辺エッジは、同一方向へ向いている、
請求項１に記載の液晶表示装置。
【請求項３】
前記複数の第１開口部の各々の前記２つの短辺エッジの配置方向と前記複数の第２開口部の各々の前記２つの短辺エッジの配置方向とが異なる、
請求項２に記載の液晶表示装置。
【請求項４】
前記複数の第１開口部の各々の前記２つの短辺エッジは、異なる方向へ向き、かつ、前記第１方向において隣り合う開口部同士の近接した短辺エッジ同士が同一方向に向いており、
前記複数の第２開口部の各々の前記２つの短辺エッジは、異なる方向へ向き、かつ、前記第１方向において隣り合う開口部同士の近接した短辺エッジ同士が同一方向に向いている、
請求項１に記載の液晶表示装置。
【請求項５】
前記複数の第１開口部と前記複数の第２開口部の各々は、平面視において、長手方向の中間部に凹みを有する、
請求項１〜４の何れか１項に記載の液晶表示装置。
【発明の詳細な説明】
【技術分野】
【０００１】
本発明は、複数の開口部を有する電極を備える液晶表示装置に関する。
【背景技術】
【０００２】
特開２００４−２５２２９８号公報（特許文献１）には、液晶層を挟んで対向配置される透明電極のそれぞれに複数の開口部（スリット）を設けた液晶表示装置が開示されている。この液晶表示装置においては、各開口部の作用によって２つの異なる方向に斜め電界を発生させてこれを液晶層へ印加することにより液晶層に２ドメイン配向構造を生じさせる。それにより、視角依存性が改善され、表示領域全体として視角依存性を低減させることが可能となる。また、特開２００９−１２２２７１号公報（特許文献２）には、上記のような液晶表示装置において、長手方向で隣り合う開口部同士の相互間隔を各開口部の幅（短手方向の長さ）よりも小さくすることにより、表示均一性の向上を図った液晶表示装置が開示されている。
【０００３】
ところで、上記のような液晶表示装置を製造する際において、多数の開口部をパターニングする際にはエッチング精度のバラツキにより、一部の開口部同士が各々の長手方向において結合してしまい電極に断線を生じてしまうという不具合が生じ得る。これに対する解決法としては、エッチング溶液や処理温度等の設定を変えることでエッチングレートを低速化することが考えられる。しかしながら、エッチングレートを低速化すると液晶表示装置の生産効率が低下するため好ましくない。他方で、開口部同士の長手方向の相互間隔を大きく設定すれば、エッチングレートを低速化しなくても開口部同士の結合による断線を防ぎやすくなる。ところが、上記した特許文献２に開示されるように、液晶表示装置の表示均一性を向上するには開口部同士の長手方向の相互間隔を大きく設定することに伴って開口部の幅もより大きくする必要が生じる。しかし、開口部の幅を大きくするほど液晶表示装置の表示部の実効開口率が低下するため、この対策も好ましくない。
【先行技術文献】
【特許文献】
【０００４】
【特許文献１】特開２００４−２５２２９８号公報
【特許文献２】特開２００９−１２２２７１号公報
【発明の概要】
【発明が解決しようとする課題】
【０００５】
本発明に係る具体的態様は、電極に複数の開口部を有する液晶表示装置における電極の断線を防止する技術を提供することを目的の１つとする。
【課題を解決するための手段】
【０００６】
本発明に係る一態様の液晶表示装置は、（ａ）対向配置される第１基板及び第２基板と、（ｂ）前記第１基板に設けられた第１電極と、（ｃ）前記第２基板に設けられた第２電極と、（ｄ）前記第１基板と前記第２基板の間に配置された液晶層、を含み、（ｅ）前記第１電極は、少なくとも前記第２電極と重なる領域に複数の第１開口部を有し、（ｆ）前記第２電極は、少なくとも前記第１電極と重なる領域に複数の第２開口部を有し、（ｇ）前記複数の第１開口部は、各々の長手方向が第１方向に沿うようにして複数の列をなして配置され、かつ、各々、前記第１方向に対して直交以外の角度で斜交する２つの短辺エッジを有しており、（ｈ）前記複数の第２開口部は、各々の長手方向が前記第１方向に沿うようにして複数の列をなして配置され、かつ、各々、前記第１方向に対して直交以外の角度で斜交する２つの短辺エッジを有しており、（ｉ）前記複数の第１開口部と前記複数の第２開口部は、前記第１方向と交差する第２方向に沿って１列ずつ交互に配置されている、液晶表示装置である。
【０００７】
上記構成によれば、開口率を上昇させるために各開口部の幅を狭めた場合にも、各開口部の長手方向に対して斜交するように各短辺エッジを構成していることから、各短辺エッジを各開口部の長手方向に対して直交させる場合に比較して各短辺エッジをより長くすることができる。したがって、長手方向に隣り合う開口部同士の相互間距離をより広くとることができるようになり、開口部同士の結合による電極の断線を防ぐことができる。
【０００８】
上記の液晶表示装置においては、例えば、前記複数の第１開口部の各々の前記２つの短辺エッジは、同一方向へ向いており、前記複数の第２開口部の各々の前記２つの短辺エッジは、同一方向へ向いていることが好ましい。この場合において、前記複数の第１開口部の各々の前記２つの短辺エッジの配置方向と前記複数の第２開口部の各々の前記２つの短辺エッジの配置方向とが異なっていてもよい。
【０００９】
上記の液晶表示装置において、例えば、前記複数の第１開口部の各々の前記２つの短辺エッジは、異なる方向へ向き、かつ、前記第１方向において隣り合う開口部同士の近接した短辺エッジ同士が同一方向に向いており、前記複数の第２開口部の各々の前記２つの短辺エッジは、異なる方向へ向き、かつ、前記第１方向において隣り合う開口部同士の近接した短辺エッジ同士が同一方向に向いていることも好ましい。
【００１０】
上記の液晶表示装置において、前記複数の第１開口部と前記複数の第２開口部の各々は、平面視において、長手方向の中間部に凹みを有することも好ましい。
【００１１】
それにより、開口率をより上昇させることができる。
【図面の簡単な説明】
【００１２】
【図１】図１は、一実施形態の液晶表示装置の基本構造を示す断面図である。
【図２】図２（Ａ）〜図２（Ｄ）は、各開口部の構造例を示す平面図である。
【図３】図３（Ａ）〜図３（Ｄ）は、各開口部の構造例を示す平面図である。
【図４】図４（Ａ）〜図４（Ｅ）は、各開口部の構造例を示す平面図である。
【図５】図５（Ａ）は、上記した図２（Ａ）に示した構造例の各開口部を有する第１基板と第２基板と貼り合わせた状態であって液晶層をまだ形成していない状態（いわゆる空セル）の実施例の顕微鏡観察像である。図５（Ｂ）は、液晶層を形成した状態での実施例の明表示時の配向組織像である。図５（Ｃ）は、上記した図２（Ｂ）に示した構造例の各開口部を有する第１基板と第２基板と貼り合わせた状態であって液晶層をまだ形成していない状態（いわゆる空セル）の実施例の顕微鏡観察像である。図５（Ｄ）は、液晶層を形成した状態での実施例の明表示時の配向組織像である。
【図６】図６（Ａ）は、上記した図２（Ｃ）に示した構造例の各開口部を有する第１基板と第２基板と貼り合わせた状態であって液晶層をまだ形成していない状態（いわゆる空セル）の実施例の明表示時の顕微鏡観察像である。図６（Ｂ）は、液晶層を形成した状態での実施例の配向組織像である。図６（Ｃ）は、上記した図２（Ｄ）に示した構造例の各開口部を有する第１基板と第２基板と貼り合わせた状態であって液晶層をまだ形成していない状態（いわゆる空セル）の実施例の顕微鏡観察像である。図６（Ｄ）は、液晶層を形成した状態での実施例の明表示時の配向組織像である。
【図７】図７は、開口部のパラメータの定義を示す図である。
【発明を実施するための形態】
【００１３】
以下に、本発明の実施の形態について図面を参照しながら説明する。
【００１４】
図１は、一実施形態の液晶表示装置の基本構造を示す断面図である。この液晶表示装置は、対向配置された第１基板１１および第２基板１２と、第１基板１１に設けられた第１電極１３と、第２基板１２に設けられた第２電極１４と、第１基板１１と第２基板１２の間に配置された液晶層１７を基本構成として備える。例えば、本実施形態の液晶表示装置は、電極同士の重なり合う領域が表示したい文字や図案を形作るように構成され、基本的に予め定めた文字等のみを表示可能であり、概ね、有効表示領域内における面積比で５０％以下程度の領域が文字等の表示に寄与するものであるセグメント表示型の液晶表示装置である。なお、液晶表示装置は、複数の画素がマトリクス状に配列されたドットマトリクス表示型であってもよいし、セグメント表示型とドットマトリクス型が混合したものであってもよい。
【００１５】
第１基板１１および第２基板１２は、それぞれ例えばガラス基板、プラスチック基板等の透明基板である。図示のように、第１基板１１と第２基板１２は、所定の間隙（例えば４μｍ程度）を設けて貼り合わされている。
【００１６】
第１電極１３は、第１基板１１の一面側に設けられている。同様に、第２電極１４は、第２基板１２の一面側に設けられている。第１電極１３および第２電極１４は、それぞれ例えばインジウム錫酸化物（ＩＴＯ）などの透明導電膜を適宜パターニングすることによって構成されている。また、第１電極１３には複数の開口部１８が設けられ、第２電極１４には複数の開口部１９が設けられている。
【００１７】
第１配向膜１５は、第１基板１１の一面側に第１電極１３を覆うようにして設けられている。第２配向膜１６は、第２基板１２の一面側に第２電極１４を覆うようにして設けられている。これらの第１配向膜１５、第２配向膜１６としては、液晶層１７の配向状態を垂直配向に規制する垂直配向膜が用いられている。各配向膜１５、１６にはラビング処理等の一軸配向処理は施されていない。
【００１８】
液晶層１７は、第１基板１１と第２基板１２の間に設けられている。本実施形態においては、誘電率異方性Δεが負の液晶材料を用いて液晶層１７が構成される。液晶層１７に図示された太線は、液晶層１７における液晶分子の配向方向を模式的に示したものである。本実施形態の液晶層１７は、電圧無印加時における液晶分子の配向方向が第１基板１１および第２基板１２の各基板面に対して垂直となる垂直配向に設定されている。
【００１９】
第１偏光板２１は、第１基板１１の外側に配置されている。同様に、第２偏光板２２は、第２基板１２の外側に配置されている。第１偏光板２１と第２偏光板２２は、各々の吸収軸が互いに略直交するように配置されている。また、各偏光板と各基板との間には適宜Ｃプレート等の光学補償板が配置されてもよい。例えば本実施形態では、第１基板１１と第１偏光板２１の間、第２基板１２と第２偏光板２２の間のそれぞれに光学補償板２３、２４が配置されている。
【００２０】
図２（Ａ）〜図２（Ｄ）、図３（Ａ）〜図３（Ｄ）および図４（Ａ）〜図４（Ｅ）は、各開口部１８、１９の構造例を示す平面図である。以下、各図を参照しながら各開口部１８、１９の平面視における構造について詳細に説明する。
【００２１】
図２（Ａ）に示す構造例における各開口部１８は、それぞれ紙面の上下方向（第１方向）に沿った２つの長辺エッジと、これらの長辺エッジに対して斜交する（直交以外の角度で交わる）２つの短辺エッジとを有しており、上下方向に伸びた略平行四辺形の平面視形状を有する。この例では、各短辺エッジは、上下方向を基準として時計回りに４５°回転した方向に向けて配置されて各長辺エッジと斜交しており、一方の短辺エッジが２つの長辺エッジの各一端側と結合し、他方の短辺エッジが２つの長辺エッジの各他端側と結合している。
【００２２】
各開口部１８は、各々の長手方向が上下方向に揃うようにして列をなして配置されている。ここで、開口部の長手方向とは、概ね、開口部の外形を画定する複数の辺のうちで最も長い辺の配置方向をいうものとする（以下においても同様）。また、各開口部１９も各開口部１８と同様の形状を有し、同様に配置されている。そして、各開口部１８と各開口部１９は、左右方向（第２方向）に沿って交互に配置されている。ある１つの開口部１８に着目すると、この開口部１８は左右方向にそれぞれ配置される２つの開口部１９に挟まれている。同様に、ある１つの開口部１９に着目すると、この開口部１９は、左右方向にそれぞれ配置される２つの開口部１８に挟まれている。別の観点からは、各開口部１８および各開口部１９は、それぞれ、上下方向において周期的に配置される電極接続部を挟んで分断されているともいえる（以下においても同様）。
【００２３】
図２（Ｂ）に示す構造例における各開口部１８は、上記した図２（Ａ）の場合と同様の形状を有し、同様に配置されている。また、各開口部１９も同様に配置されているが、形状が異なっている。具体的には、各開口部１９は、各短辺エッジが上下方向を基準として反時計回りに４５°回転した方向に向けて配置されて各長辺エッジと斜交しており、一方の短辺エッジが２つの長辺エッジの各一端側と結合し、他方の短辺エッジが２つの長辺エッジの各他端側と結合している。そして、各開口部１９は、上下方向に伸びた略平行四辺形の平面視形状を有している。
【００２４】
図２（Ｃ）に示す構造例の各開口部１８は、それぞれ上下方向に沿った２つの長辺エッジと、これらの長辺エッジに対して斜交する２つの短辺エッジとを有しており、上下方向に伸びた略台形の平面視形状を有する。この例では、各短辺エッジのうち、一方の短辺エッジは上下方向を基準として時計回りに４５°回転した方向に向けて配置されて各長辺エッジと斜交しており、２つの長辺エッジの各一端側と結合している。また、各短辺エッジのうち、他方の短辺エッジは上下方向を基準として反時計回りに４５°回転した方向に向けて配置されて各長辺エッジと斜交しており、２つの長辺エッジの各他端側と結合している。なお、各開口部１９についても同様の形状を有し、同様に配置されている。
【００２５】
また、各開口部１８は、長手方向において隣り合う開口部同士の向きが左右方向に反転しており、各々の長手方向が上下方向に揃うようにして列をなして配置されている。ここで、各開口部１８は、長手方向において隣り合う開口部同士の２つの長辺エッジの位置（別言すれば長辺エッジ間の中心線ａの位置）が左右方向にずれて配置されている。これは、長手方向に隣り合う開口部同士の結合をより確実に防ぐための構造である。ずらす量としては、各開口部１８の幅（長辺エッジ間の長さ）未満であることが好ましい。また、長手方向において隣接する開口部同士の隣接する各短辺エッジは平行であり、長手方向に対して４５°回転した方向に一方の開口部１８を平行移動させると他方の開口部１８と短辺エッジ同士が重なるように設定されている。なお、各開口部１９も各開口部１８と同様の形状を有し、同様に配置されている。
【００２６】
また、各開口部１８と各開口部１９は、左右方向に沿って交互に配置されている。１つの開口部１８に着目すると、この開口部１８は左右方向にそれぞれ配置される２つの開口部１９に挟まれている。このときの１つの開口部１８とこれを挟む２つの開口部１９とは同じ向きに配置されている。同様に、１つの開口部１９に着目すると、この開口部１９は、左右方向にそれぞれ配置される２つの開口部１８に挟まれている。このときの１つの開口部１９とこれを挟む２つの開口部１８とは同じ向きに配置されている。
【００２７】
なお、図２（Ｃ）に示す各開口部１８、各開口部１９においては、長手方向に隣り合う開口部同士の２つの長辺エッジの位置（長辺エッジ間の中心線ａの位置）を左右方向にずらさなくてもよい。
【００２８】
図２（Ｄ）に示す構造例の各開口部１８、各開口部１９は、上記した図２（Ａ）の場合と各開口部の形状は同じであり、各開口部の配置が異なっている。具体的には、各開口部１８および各開口部１９は、それぞれ、図２（Ｃ）に示した構造例と同様に、長手方向において隣り合う開口部同士の２つの長辺エッジの位置が左右方向にずれて配置されている。また、長手方向において隣接する開口部同士の隣接する各短辺エッジは平行であり、長手方向に対して４５°回転した方向に一方の開口部１８（又は１９）を平行移動させると他方の開口部１８（又は１９）と短辺エッジ同士が重なるように設定されている。また、各開口部１８と各開口部１９は、それぞれの短辺エッジに平行な方向で隣り合う開口部同士が列をなすように交互に配置されており、全体としては、図示の例では右上がり方向へ複数の列をなすように配置されている。
【００２９】
図３（Ａ）に示す構造例の各開口部１８、各開口部１９は、上記した図２（Ａ）の場合と各開口部の形状は同じであり、各開口部の配置が異なっている。具体的には、左右方向において隣り合う開口部１８と開口部１９の配置ピッチを上下方向について半ピッチずらしたものである。別の観点からは、上下方向に隣り合う２つの開口部１８の間を分断する領域である各電極接続部と上下方向に隣り合う２つの開口部１９の間を分断する領域である各電極接続部とは、上下方向において互いに半ピッチずらして配置されている。なお、ずらす量は半ピッチに限定されず任意である。
【００３０】
図３（Ｂ）に示す構造例の各開口部１８、各開口部１９は、上記した図２（Ａ）の場合と各開口部の配置は同じであり、各開口部の形状が異なっている。具体的には、各開口部１８および各開口部１９は、平面視で、それぞれの長手方向において中間部が内側へ凹んだ形状を有する。これにより、各開口部１８、各開口部１９の面積がより小さくなるので、液晶表示装置の透過率（すなわち開口率）を向上させる効果が得られる。配向均一性についても確保できる。
【００３１】
図３（Ｃ）に示す構造例の各開口部１８、各開口部１９は、上記した図３（Ｂ）の場合と各開口部の形状が同じであり、かつ、上記した図３（Ａ）の場合と各開口部の配置が同じである。この構造をとると、各開口部１８および各開口部１９は、短辺エッジ方向に隣り合う開口部の幅の異なる部分が短辺エッジ方向に対して交互に配置されることから、長手方向において内側への凹みがあったとしても幅方向に隣り合う開口部同士の距離が比較的に均等になる。それにより、各開口部１８および各開口部１９の配置効率が高くなることから単位面積当たりの開口部の配置面積を小さくすることができる。
【００３２】
図３（Ｄ）に示す構造例の各開口部１８、各開口部１９は、上記した図３（Ｃ）の場合と各開口部の配置が同じであり、各開口部１８と各開口部１９の形状が異なっている。具体的には、各開口部１８は、各短辺エッジが上下方向を基準として反時計回りに４５°回転した方向に向けて配置されて各長辺エッジと斜交しており、各開口部１９は、各短辺エッジが上下方向を基準として時計回りに４５°回転した方向に向けて配置されて各長辺エッジと斜交している。また、各開口部１８および各開口部１９は、平面視で、それぞれの長手方向において中間部が内側へ凹んだ形状を有する。
【００３３】
図４（Ａ）に示す構造例の各開口部１８、各開口部１９は、上記した図２（Ｃ）の場合と各開口部の配置が同じであり、各開口部の形状が異なる。具体的には、各開口部１８および各開口部１９は、それぞれ、長手方向において一方側に内側への凹みを有する。各開口部１８は、上下方向に隣り合う開口部同士で上記した凹みの位置が右側、左側と交互に配置されている。同様に、各開口部１９は、上下方向に隣り合う開口部同士で上記した凹みの位置が右側、左側と交互に配置されている。また、左右方向において隣り合う開口部１８と開口部１９は、それぞれの凹みの位置が同じ側に配置されている。なお、各開口部１８、各開口部１９において、凹み部分は左右両側に設けられていてもよい。
【００３４】
図４（Ｂ）に示す構造例の各開口部１８、各開口部１９は、上記した図４（Ａ）の場合と各開口部の形状が同じであり、上記した図３（Ａ）の場合と各開口部の配置が同じである。すなわち、図４（Ａ）に示した構造例において、ある列の開口部１８の位置とそれに隣り合う列の開口部１９の位置とが所定のピッチ（図示の例では半ピッチ）ずらされている。
【００３５】
図４（Ｃ）に示す構造例の各開口部１８、各開口部１９は、上記した図３（Ｃ）に示す構造例を変形したものであり、各開口部の位置は同じであるが形状が異なる。具体的には、ここでの各開口部１８、各開口部１９は、それぞれの長手方向において一端側と他端側の幅が異なっている。これにより、透過率のさらなる向上が実現できる。
【００３６】
図４（Ｄ）に示す構造例の各開口部１８、各開口部１９は、上記した図４（Ｃ）に示す構造例を変形したものであり、各開口部１８、各開口部１９の配置が図２（Ａ）等と同じになっている。
【００３７】
図４（Ｅ）に示す構造例の各開口部１８、各開口部１９は、上記した図４（Ｃ）に示す構造例を変形したものであり、各開口部１８、各開口部１９の位置は同じであるが形状が異なる。具体的には、各開口部１８および各開口部１９は、一端側と他端側の幅が異なっており、かつ左右のいずれか一方のエッジが直線状で他方のエッジが折れ線状となっている。これにより、透過率のさらなる向上が実現できる。
【００３８】
（実施例）
次に、上記した構造例のいくつかに関する実施例を説明する。
【００３９】
図５（Ａ）は、上記した図２（Ａ）に示した構造例の各開口部を有する第１基板と第２基板と貼り合わせた状態であって液晶層をまだ形成していない状態（いわゆる空セル）の実施例の顕微鏡観察像である。各開口部の形状パラメータの定義を図７に示す（以下において同様）。ここではセル厚を４μｍ、スリット長さＬを１００μｍ、スリット幅Ｗ１（１つの開口部の長辺エッジ間長さ）を２０μｍ、短辺エッジ長さＷ２を２８μｍ、開口部同士の長辺エッジ間距離Ｗ３を３０μｍ、開口部同士の短辺エッジ間距離Ｓを１０μｍとした。なお、スリット長さＬについては両長辺エッジの平均と定義した（本例では両長辺エッジが等しい）。各開口部の分断部分のエッジを観察すると、２つの長辺エッジとそれぞれに斜交する短辺エッジとの接続箇所は鈍角と鋭角をなしているが、エッチング精度の影響により角が丸まって曲線状となっている。ただし、短辺エッジの曲線部分の接線および直線部分の平均方位は明らかに各開口部の長手方向に対して斜交していることがわかる。図５（Ｂ）は、液晶層を形成した状態での実施例の明表示時の配向組織像である。左右方向に隣り合う開口部同士の相互間における配向は、斜め電界の発生により均一である。また、上下方向において隣り合う開口部同士の相互間における配向は、規則的なクロス状の暗領域が観察されており、この暗領域は全ての領域で均一であることがわかる。この実施例の液晶表示装置は外観観察において良好な表示を確認できた。
【００４０】
図５（Ｃ）は、上記した図２（Ｂ）に示した構造例の各開口部を有する第１基板と第２基板と貼り合わせた状態であって液晶層をまだ形成していない状態（いわゆる空セル）の実施例の顕微鏡観察像である。各開口部の形状パラメータの数値は上記と同様である。各開口部の分断部分のエッジを観察すると、エッチング精度の影響により角が丸まって曲線状となっているが、短辺エッジの曲線部分の接線および直線部分の平均方位は明らかに各開口部の長手方向に対して斜交していることがわかる。また、短辺エッジの方向が左右方向で交互に入れ替わっていることがわかる。図５（Ｄ）は、液晶層を形成した状態での実施例の明表示時の配向組織像である。左右方向に隣り合う開口部同士の相互間における配向は、斜め電界の発生により均一である。また、上下方向において隣り合う開口部同士の相互間における配向は、規則的なクロス状の暗領域が観察されており、この暗領域は全ての領域で均一であることがわかる。この実施例の液晶表示装置も外観観察において良好な表示を確認できた。
【００４１】
図６（Ａ）は、上記した図２（Ｃ）に示した構造例の各開口部を有する第１基板と第２基板と貼り合わせた状態であって液晶層をまだ形成していない状態（いわゆる空セル）の実施例の顕微鏡観察像である。各開口部の形状パラメータの数値は上記と同様である。各開口部の分断部分のエッジを観察すると、上記各実施例と同様に、エッチング精度の影響により角が丸まり曲線状となっているが、短辺エッジの曲線部分の接線および直線部分の平均方位は明らかに各開口部の長手方向に対して斜交していることがわかる。また、短辺エッジの方向が上下方向で交互に入れ替わっていることがわかる。図６（Ｂ）は、液晶層を形成した状態での実施例の明表示時の配向組織像である。左右方向に隣り合う開口部同士の相互間における配向は、斜め電界の発生により均一である。また、上下方向において隣り合う開口部同士の相互間における配向は、規則的なクロス状の暗領域が観察されており、この暗領域は全ての領域で均一であることがわかる。この実施例の液晶表示装置も外観観察において良好な表示を確認できた。
【００４２】
図６（Ｃ）は、上記した図２（Ｄ）に示した構造例の各開口部を有する第１基板と第２基板と貼り合わせた状態であって液晶層をまだ形成していない状態（いわゆる空セル）の実施例の顕微鏡観察像である。各開口部の形状パラメータの数値は上記と同様である。各開口部の分断部分のエッジを観察すると、上記各実施例と同様に、エッチング精度の影響により角が丸まり曲線状となっているが、短辺エッジの曲線部分の接線および直線部分の平均方位は明らかに各開口部の長手方向に対して斜交していることがわかる。また、各開口部は、上下方向に進むにしたがって長辺エッジ間の中心がずれていく様子が観察される。図６（Ｄ）は、液晶層を形成した状態での実施例の明表示時の配向組織像である。左右方向に隣り合う開口部同士の相互間における配向は、斜め電界の発生により均一である。また、上下方向において隣り合う開口部同士の相互間における配向は、規則的なクロス状の暗領域が観察されており、この暗領域は全ての領域で均一であることがわかる。この実施例の液晶表示装置も外観観察において良好な表示を確認できた。
【００４３】
以上のような実施形態並びに実施例によれば、開口率を上昇させるために各開口部の幅を狭めた場合にも、各開口部の長手方向に対して斜交するように各短辺エッジを構成していることから、各短辺エッジを各開口部の長手方向に対して直交させる場合に比較して各短辺エッジをより長くすることができる。したがって、長手方向に隣り合う開口部同士の相互間距離をより広くとることができるようになり、開口部同士の結合による電極の断線を防ぐことができる。
【００４４】
なお、本発明は上記した内容に限定されるものではなく、本発明の要旨の範囲内において種々に変形して実施をすることが可能である。
【符号の説明】
【００４５】
１１：第１基板
１２：第２基板
１３：第１電極
１４：第２電極
１５：第１配向膜
１６：第２配向膜
１７：液晶層
１８：開口部
１９：開口部
２１：第１偏光板
２２：第２偏光板
２３、２４：光学補償板
【図１】
2015172650.tif 000003
【図２】
2015172650.tif 000004
【図３】
2015172650.tif 000005
【図４】
2015172650.tif 000006
【図７】
2015172650.tif 000007
【図５】
2015172650.tif 000008
【図６】
2015172650.tif 000009